(57)【要約】  本発明に係る近赤外線カットフィルタは、高屈折率膜、中屈折率膜及び低屈折率膜の繰り返し積層構造を有し、４００〜７００ｎｍの波長範囲に平均透過率が８５％以上となる透過帯と、７５０〜１１００ｎｍの波長範囲において平均透過率が１０％以下の領域の幅が１００〜２８０ｎｍである阻止帯とを有する。
2013183557.tif 000002
【特許請求の範囲】
【請求項１】
透明基板と、前記透明基板の少なくとも一方の主面に設けられた光学多層膜とを備える近赤外線カットフィルタであって、
前記光学多層膜は、
波長５００ｎｍにおける屈折率が２．０以上である高屈折率膜と、波長５００ｎｍにおける屈折率が１．６以上で前記高屈折率膜の屈折率未満である中屈折率膜と、波長５００ｎｍにおける屈折率が１．６未満である低屈折率膜とを備え、前記高屈折率膜をＨ、前記中屈折率膜をＭ、前記低屈折率膜をＬとしたとき、（ＬＭＨＭＬ）＾ｎ（ｎは１以上の自然数）の繰り返しで表される繰り返し積層構造を有し、
４００〜７００ｎｍの波長範囲に平均透過率が８５％以上となる透過帯と、７５０〜１１００ｎｍの波長範囲において平均透過率が１０％以下の領域の幅が１００〜２８０ｎｍである阻止帯とを有し、
前記光学多層膜の前記高屈折率膜のＱＷＯＴ（Quater-wave Optical Thickness）をＴＨ、前記中屈折率膜のＱＷＯＴをＴＭ、前記低屈折率膜のＱＷＯＴをＴＬとした場合、
前記中屈折率膜の屈折率が前記高屈折率膜の屈折率と前記低屈折率膜の屈折率との中間値以上の場合、
前記光学多層膜は、垂直入射条件での分光特性で４００〜７００ｎｍの波長範囲内に透過率が局所的に５％以上低下する箇所が存在しない２ＴＬ／（ＴＨ＋２ＴＭ）の最大値を１００％、最小値を０％と設定した場合、２ＴＬ／（ＴＨ＋２ＴＭ）が１００％〜７０％の範囲内であり、
前記中屈折率膜の屈折率が前記高屈折率膜の屈折率と前記低屈折率膜の屈折率との中間値未満の場合、
前記光学多層膜は、垂直入射条件での分光特性で４００〜７００ｎｍの波長範囲内に透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内となるように、前記高屈折率膜、前記中屈折率膜及び前記低屈折率膜を積層したことを特徴とする近赤外線カットフィルタ。
【請求項２】
前記光学多層膜は、前記高屈折率膜がＴｉＯ２、前記中屈折率膜がＴａ２Ｏ５、前記低屈折率膜がＳｉＯ２からなり、２ＴＬ／（ＴＨ＋２ＴＭ）が０．８５２〜０．８６７の範囲内であることを特徴とする請求項１に記載の近赤外線カットフィルタ。
【請求項３】
前記光学多層膜は、前記高屈折率膜がＴｉＯ２、前記中屈折率膜がＡｌ２Ｏ３、前記低屈折率膜がＳｉＯ２からなり、（２ＴＬ＋２ＴＭ）／ＴＨが１．１６７〜１．２１８の範囲内であることを特徴とする請求項１に記載の近赤外線カットフィルタ。
【請求項４】
前記光学多層膜は、前記高屈折率膜がＮｂ２Ｏ５、前記中屈折率膜がＡｌ２Ｏ３、前記低屈折率膜がＳｉＯ２からなり、（２ＴＬ＋２ＴＭ）／ＴＨが１．１９１〜１．２３４の範囲内であることを特徴とする請求項１に記載の近赤外線カットフィルタ。
【請求項５】
前記透過帯は、０°〜４５°入射条件の分光特性において、透過率が局所的に２０％低下する箇所が存在しないことを特徴とする請求項１ないし４のいずれか１項に記載の近赤外線カットフィルタ。
【請求項６】
少なくとも２種以上の前記光学多層膜から構成されることを特徴とする請求項１ないし５のいずれか１項に記載の近赤外線カットフィルタ。
【請求項７】
前記透明基板は、近赤外波長域に吸収を有する光学特性を備えることを特徴とする請求項１ないし６のいずれか１項に記載の近赤外線カットフィルタ。
【請求項８】
前記透明基板は、Ｃｕ２＋イオンを着色成分として含有するフツリン酸塩系ガラスもしくはリン酸塩系ガラスであることを特徴とする請求項７に記載の近赤外線カットフィルタ。
【請求項９】
前記透明基板は、近赤外線を吸収する色素を含有した樹脂材であることを特徴とする請求項７に記載の近赤外線カットフィルタ。
【請求項１０】
前記光学多層膜と同一面もしくは前記透明基板の他方の主面に設けられ、
波長５００ｎｍにおける屈折率が２．０以上の屈折率が異なる２種以上の膜と波長５００ｎｍにおける屈折率が１．６未満である膜とからな近赤外線カット膜を備え、
前記近赤外線カット膜は、４００〜７００ｎｍの波長範囲に平均透過率が８５％以上となる透過帯と、前記透過帯の紫外側および近赤外側のそれぞれに平均透過率が５％以下となる阻止帯とを有し、
前記透過帯の紫外側の半値波長と近赤外側の半値波長との差が２００ｎｍ以上であり、垂直入射条件と３０°入射条件における前記透過帯の半値波長の差が紫外側の半値波長で１０ｎｍ未満、近赤外側の半値波長で２２ｎｍ未満である請求項１ないし９のいずれか１項に記載の近赤外線カットフィルタ。
【発明の詳細な説明】
【技術分野】
【０００１】
本発明は、近赤外線カットフィルタに関し、特に、透明基板上に形成された光学多層膜を有する近赤外線カットフィルタに関する。
【背景技術】
【０００２】
デジタルカメラやデジタルビデオ等には、Charge Coupled Device（ＣＣＤ）イメージセンサやComplementary Metal Oxide Semiconductor（ＣＭＯＳ）イメージセンサ等（以下、固体撮像素子と称する）が使用される。しかしながら、これら固体撮像素子の分光特性は、人間の視感度特性に比べて赤外光に強い感度を有する。そこで、デジタルカメラやデジタルビデオ等では、近赤外線カットフィルタによる分光補正を行っている。【０００３】
近赤外線カットフィルタとしては、例えば、Ｃｕ２＋イオンを着色成分として含有するフツリン酸系ガラス等の近赤外線吸収タイプの色ガラスフィルタが使用されてきた。しかしながら、色ガラスフィルタ単体では、近赤外域及び紫外域の光を十分にカットすることができないことから、現在では、近赤外線をカットできる特性を有する光学多層膜が併用されている。【０００４】
光学多層膜には、固体撮像素子が必要とする４００〜７００ｎｍにおける透過帯において、透過率が落ち込む現象（リップル）が生じないことが求められる。光学多層膜において、リップルを抑制する技術が従来から提案されている（例えば、特許文献１〜２参照）。
【先行技術文献】
【特許文献】
【０００５】
【特許文献１】特許第４６７２１０１号公報
【特許文献２】特開２００８−１３９６９３号公報
【発明の概要】
【発明が解決しようとする課題】
【０００６】
しかしながら、光学多層膜には、特定角度で入射する光のリップルを抑制できたとしても、光の入射角度が変化するとリップルが発生することがある。特許文献１〜２に記載の技術は、特定角度で入射する光のリップルの抑制には対応できるものの、光の入射角度が変化することに起因して発生するリップルに対しては全く考慮されていない。【０００７】
このような状況において、近年では、デジタルカメラやデジタルビデオ等がさらに小型化、薄型化しており、デジタルカメラやデジタルビデオ等のレンズの広角化が進んでいる。このため、固体撮像素子へ光がより傾斜した状態で入射するようになっている。例えば、従来では、固体撮像素子への光の入射角度が３０°以下であったものが、近年では、３０°を超える入射角への対応を強く求められるようになってきている。【０００８】
上述したリップルは、光の入射角度が傾斜するに従い、透過率の落ち込み量も大きくなる。特許文献１〜２に開示される提案では、入射角度変化に伴うリップルの抑制について考慮がなされていないことから、固体撮像素子への光の入射角度が３０°以下であれば、リップルが極端に大きくなることはないが、３０°を超えるような入射角度になると無視できないほどのリップルが発生するおそれがある。本発明は、上記課題に鑑みてなされたものであり、リップルが抑制された近赤外線カットフィルタを提供することを目的とする。
【課題を解決するための手段】
【０００９】
本発明に係る近赤外線カットフィルタは、透明基板と、前記透明基板の少なくとも一方の主面に設けられた光学多層膜とを備える近赤外線カットフィルタであって、前記光学多層膜は、波長５００ｎｍにおける屈折率が２．０以上である高屈折率膜と、波長５００ｎｍにおける屈折率が１．６以上で前記高屈折率膜の屈折率未満である中屈折率膜と、波長５００ｎｍにおける屈折率が１．６未満である低屈折率膜とを備え、前記高屈折率膜をＨ、前記中屈折率膜をＭ、前記低屈折率膜をＬとしたとき、（ＬＭＨＭＬ）＾ｎ（ｎは１以上の自然数）の繰り返しで表される繰り返し積層構造を有し、４００〜７００ｎｍの波長範囲に平均透過率が８５％以上となる透過帯と、７５０〜１１００ｎｍの波長範囲において平均透過率が１０％以下の領域の幅が１００〜２８０ｎｍである阻止帯とを有し、前記光学多層膜の前記高屈折率膜のＱＷＯＴ（Quater-wave Optical Thickness）をＴＨ、前記中屈折率膜のＱＷＯＴをＴＭ、前記低屈折率膜のＱＷＯＴをＴＬとした場合、前記中屈折率膜の屈折率が前記高屈折率膜の屈折率と前記低屈折率膜の屈折率との中間値以上の場合、前記光学多層膜は、垂直入射条件での分光特性で４００〜７００ｎｍの波長範囲内に透過率が局所的に５％以上低下する箇所が存在しない２ＴＬ／（ＴＨ＋２ＴＭ）の最大値を１００％、最小値を０％と設定した場合、２ＴＬ／（ＴＨ＋２ＴＭ）が１００％〜７０％の範囲内であり、前記中屈折率膜の屈折率が前記高屈折率膜の屈折率と前記低屈折率膜の屈折率との中間値未満の場合、前記光学多層膜は、垂直入射条件での分光特性で４００〜７００ｎｍの波長範囲内に透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内となるように、前記高屈折率膜、前記中屈折率膜及び前記低屈折率膜を積層したことを特徴とする。
【発明の効果】
【００１０】
本発明によれば、透明基板の少なくとも一方の主面に設けられた光学多層膜とを備える近赤外線カットフィルタであって、前記光学多層膜は、波長５００ｎｍにおける屈折率が２．０以上である高屈折率膜と、波長５００ｎｍにおける屈折率が１．６以上で前記高屈折率膜の屈折率未満である中屈折率膜と、波長５００ｎｍにおける屈折率が１．６未満である低屈折率膜とを備え、前記高屈折率膜をＨ、前記中屈折率膜をＭ、前記低屈折率膜をＬとしたとき、（ＬＭＨＭＬ）＾ｎ（ｎは１以上の自然数）の繰り返しで表される繰り返し積層構造を有し、４００〜７００ｎｍの波長範囲に平均透過率が８５％以上となる透過帯と、７５０〜１１００ｎｍの波長範囲において平均透過率が１０％以下の領域の幅が１００〜２８０ｎｍである阻止帯とを有し、前記光学多層膜の前記高屈折率膜のＱＷＯＴをＴＨ、前記中屈折率膜のＱＷＯＴをＴＭ、前記低屈折率膜のＱＷＯＴをＴＬとした場合、前記中屈折率膜の屈折率が前記高屈折率膜の屈折率と前記低屈折率膜の屈折率との中間値以上の場合、前記光学多層膜は、垂直入射条件での分光特性で４００〜７００ｎｍの波長範囲内に透過率が局所的に５％以上低下する箇所が存在しない２ＴＬ／（ＴＨ＋２ＴＭ）の最大値を１００％、最小値を０％と設定した場合、２ＴＬ／（ＴＨ＋２ＴＭ）が１００％〜７０％の範囲内であり、前記中屈折率膜の屈折率が前記高屈折率膜の屈折率と前記低屈折率膜の屈折率との中間値未満の場合、前記光学多層膜は、垂直入射条件での分光特性で４００〜７００ｎｍの波長範囲内に透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内となるように、前記高屈折率膜、前記中屈折率膜及び前記低屈折率膜を積層しているので、リップルが抑制された近赤外線カットフィルタを提供することができる。
【図面の簡単な説明】
【００１１】
【図１】第１の実施形態に係る近赤外線カットフィルタの断面図である。
【図２】第１の実施形態に係る光学多層膜の断面図である。
【図３】第１の実施形態に係る光学多層膜の第１のＳＷＰＦ部の断面図である。
【図４】撮像装置一部構成図である。
【図５】表１に示す光学多層膜の０°入射条件における分光特性のシミュレーション結果である。
【図６】表１に示す光学多層膜の４５°入射条件における分光特性のシミュレーション結果である。
【図７】表２に示す光学多層膜の０°入射条件における分光特性のシミュレーション結果である。
【図８】表２に示す光学多層膜の４５°入射条件における分光特性のシミュレーション結果である。
【図９】表３に示す光学多層膜の０°入射条件における分光特性のシミュレーション結果である。
【図１０】表３に示す光学多層膜の４５°入射条件における分光特性のシミュレーション結果である。
【図１１】表４に示す光学多層膜の０°入射条件における分光特性のシミュレーション結果である。
【図１２】表４に示す光学多層膜の４５°入射条件における分光特性のシミュレーション結果である。
【図１３】表５に示す光学多層膜の０°入射条件における分光特性のシミュレーション結果である。
【図１４】表５に示す光学多層膜の４５°入射条件における分光特性のシミュレーション結果である。
【図１５】表６に示す光学多層膜の０°入射条件における分光特性のシミュレーション結果である。
【図１６】表６に示す光学多層膜の４５°入射条件における分光特性のシミュレーション結果である。
【図１７】表７に示す光学多層膜の０°入射条件における分光特性のシミュレーション結果である。
【図１８】表７に示す光学多層膜の４５°入射条件における分光特性のシミュレーション結果である。
【図１９】表８、表９に示す光学多層膜を備えたガラス基板（ＮＦ５０Ｔ）の０°及び４５°入射条件における分光特性のシミュレーション結果である。
【図２０】表８に示す光学多層膜（ＩＲＣＦ）を備えた白板ガラス基板の０°及び４５°入射条件における分光特性のシミュレーション結果である。
【図２１】表９に示す光学多層膜のうち、ＵＶカット備えた白板ガラス基板の０°及び４５°入射条件における分光特性のシミュレーション結果である。
【図２２】表９に示す光学多層膜のうち、ＳＷＰＦ１を備えた白板ガラス基板の０°及び４５°入射条件における分光特性のシミュレーション結果である。
【図２３】２ＴＬ／（ＴＨ＋２ＴＭ）の値が１００％の場合におけるＳＷＰＦ１を備えた白板ガラス基板の分光特性のシミュレーション結果である。
【図２４】２ＴＬ／（ＴＨ＋２ＴＭ）の値が０％の場合におけるＳＷＰＦ１を備えた白板ガラス基板の分光特性のシミュレーション結果である。
【図２５】表９に示す光学多層膜のうち、ＳＷＰＦ２を備えた白板ガラス基板の０°及び４５°入射条件における分光特性のシミュレーション結果である。
【図２６】２ＴＬ／（ＴＨ＋２ＴＭ）の値が１００％の場合におけるＳＷＰＦ２を備えた白板ガラス基板の分光特性のシミュレーション結果である。
【図２７】２ＴＬ／（ＴＨ＋２ＴＭ）の値が０％の場合におけるＳＷＰＦ２を備えた白板ガラス基板の分光特性のシミュレーション結果である。
【図２８】表９に示す光学多層膜を備えた白板ガラス基板の０°及び４５°入射条件における分光特性のシミュレーション結果である。
【発明を実施するための形態】
【００１２】
（第１の実施形態）
図１は、第１の実施形態に係る近赤外線カットフィルタ１０（以下、ＩＲＣＦ１０）の断面図である。図２は、ＩＲＣＦ１０が備える光学多層膜１２の断面図である。図３は、光学多層膜１２の第１のＳＷＰＦ部１２Ｂの断面図である。以下、図１〜図３を参照してＩＲＣＦ１０の構成について説明する。
【００１３】
図１に示すようにＩＲＣＦ１０は、透明基板１１と、透明基板１１の少なくとも一方の主面に設けられた光学多層膜１２とを備える。なお、光学多層膜１２は、透明基板１１の一方の主面に設けるようにしてもよいし、透明基板１１のそれぞれの主面に分割して設けるようにしてもよい。
【００１４】
（透明基板１１）
透明基板１１の材料は、少なくとも可視波長域の光を透過できるものであれば特に限定されない。透明基板１１の材料として、例えば、ガラス、水晶、ニオブ酸リチウム、サファイヤ等の結晶、ポリエチレンテレフタレート（ＰＥＴ）、ポリブチレンテレフタレート（ＰＢＴ）等のポリエステル樹脂、ポリエチレン、ポリプロピレン、エチレン酢酸ビニル共重合体等のポリオレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリビニルアルコール樹脂等が挙げられる。
【００１５】
透明基板１１としては、特に、近赤外波長域の光を吸収するものが好ましい。近赤外波長域の光を吸収する透明基板１１を用いることで、人間の視感度特性に近い画質を得ることができるためである。なお、近赤外波長域の光を吸収する透明基板１１としては、例えば、フツリン酸塩系ガラスやリン酸塩系ガラスにＣｕ２＋（イオン）が添加された吸収型ガラスが挙げられる。また、樹脂材料中に近赤外線を吸収する吸収剤を添加したものを使用してもよい。吸収剤としては、例えば、染料、顔料、金属錯体系化合物が挙げられ、具体的には、フタロシアニン系化合物、ナフタロシアニン系化合物、ジチオール金属錯体系化合物が挙げられる。
【００１６】
（光学多層膜２２の構造）
図２は、光学多層膜１２の断面図である。図２に示すように、光学多層膜１２は、紫外光（ＵＶ）をカットするＵＶカット部１２Ａ、第１のＳＷＰＦ部１２Ｂ及び第２のＳＷＰＦ部１２Ｃを備える。第１のＳＷＰＦ部１２Ｂ及び第２のＳＷＰＦ部１２Ｃは、４００〜７００ｎｍの波長範囲に平均透過率が８５％以上となる透過帯と、前記透過帯の近赤外側に、７５０〜１１００ｎｍの波長範囲において平均透過率が１０％以下の領域の幅が１００〜２８０ｎｍである阻止帯とを形成する。その他、分光特性を調整する層を光学多層膜１２の構造に追加してもよい。
【００１７】
（ＵＶカット部１２Ａ）
ＵＶカット部１２Ａは、４００ｎｍ未満の波長範囲の紫外線を所定の波長幅と透過率でカットするものであれば、どのような膜構成のものであってもよい。例えば波長５００ｎｍにおける屈折率が２．０以上の高屈折率膜Ｈと、波長５００ｎｍにおける屈折率が１．６未満の低屈折率膜Ｌとが積層された構造を有する。
【００１８】
（ＳＷＰＦ部１２Ｂ）
図３は、第１のＳＷＰＦ（Short Wide Pass Filter）部１２Ｂの断面図である。ＳＷＰＦ部１２Ｂは、波長５００ｎｍにおける屈折率が２．０以上の高屈折率膜をＨ、波長５００ｎｍにおける屈折率が１．６以上で前記高屈折率膜Ｈの屈折率未満である中屈折率膜をＭ、波長５００ｎｍにおける屈折率が１．６未満の低屈折率膜をＬとしたときに、以下の（１）式で表される構造を有する。
（ＬＭＨＭＬ）＾ｎ（ｎは、１以上の自然数）・・・（１）
【００１９】
ＳＷＰＦ部１２Ｂの高屈折率膜ＨのＱＷＯＴをＴＨ、中屈折率膜ＭのＱＷＯＴをＴＭ、低屈折率膜ＬのＱＷＯＴをＴＬとしたとき、中屈折率膜の屈折率が前記高屈折率膜の屈折率と前記低屈折率膜の屈折率との中間値以上場合、０°入射（垂直入射）条件での分光特性で４００〜７００ｎｍの波長範囲内に透過率が局所的に５％以上低下する箇所が存在しない２ＴＬ／（ＴＨ＋２ＴＭ）の最大値を１００％、最小値を０％と設定した場合、２ＴＬ／（ＴＨ＋２ＴＭ）が１００％〜７０％の範囲内となるよう前記各膜を積層する。
【００２０】
また、ＳＷＰＦ部１２の高屈折率膜ＨのＱＷＯＴをＴＨ、中屈折率膜ＭのＱＷＯＴをＴＭ、低屈折率膜ＬのＱＷＯＴをＴＬとしたときに、中屈折率膜の屈折率が前記高屈折率膜の屈折率と前記低屈折率膜の屈折率との中間値未満の場合、０°入射条件での分光特性で４００〜７００ｎｍの波長範囲内に透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内となるよう前記各膜を積層する。
【００２１】
上述の各膜のＱＷＯＴの比を決める際、中屈折率膜の屈折率が前記高屈折率膜の屈折率と前記低屈折率膜の屈折率との中間値をしきい値として規定した。これは、中屈折率膜の屈折率が前記高屈折率膜の屈折率と前記低屈折率膜の屈折率との中間値以上の場合は、中屈折率膜のＱＷＯＴの増減が上記比率に与える影響が高屈折率膜の傾向と同様であるためである。また、中屈折率膜の屈折率が前記高屈折率膜の屈折率と前記低屈折率膜の屈折率との中間値未満の場合は、中屈折率膜のＱＷＯＴの増減が上記比率に与える影響が低屈折率膜の傾向と同様であるためである。
【００２２】
ＳＷＰＦ部１２の各膜のＱＷＯＴを上記のように設定する理由を以下に述べる。光学多層膜の入射角度に依存する可視域の局所的な透過率減少（いわゆるリップル）の発生は、ｎｄ×ｃｏｓθによる光学的膜厚の減少が、屈折率が異なる膜どうしで相違することによるものと考えられる。光学多層膜の分光特性は、スネルの法則（ｎ１×ｃｏｓθ１＝ｎ２×ｃｏｓθ２）により、入射角度は屈折率が大きい膜の方が小さく、屈折率の小さい膜では入射角度が大きくなることが分かる。
【００２３】
従って、入射角度が大きくなるに従い、例えば高屈折率膜Ｈと低屈折率膜Ｌとで考えると、両者の光学的膜厚のバランスは高屈折率膜の光学的膜厚が過多、低屈折率膜の光学的膜厚が過小に働く。そして、ＳＷＰＦは各屈折率の膜厚変化に対してリップルが発生し易い傾向がある。しかしながら、各屈折率の光学的膜厚の比率が変化した場合であっても、リップルが発生しない比率範囲が必ず存在するので、これを用いてリップルの抑制を行うことが出来る。
【００２４】
具体的には、（ＬＭＨＭＬ）の繰り返し積層構造をもつＳＷＰＦにおいて、各屈折率膜のＱＷＯＴを増減させ、ＳＷＰＦの０°入射条件の分光特性で４００〜７００ｎｍの波長範囲内にリップルの発生を調べる。各屈折率膜のＱＷＯＴを増減させると、リップルが発生し始める範囲が把握できる。
【００２５】
そして、中屈折率膜の屈折率が前記高屈折率膜の屈折率と前記低屈折率膜の屈折率との中間値以上の場合、透過率が局所的に５％以上低下する箇所が存在しない２ＴＬ／（ＴＨ＋２ＴＭ）の最大値を１００％、最小値を０％と設定した場合、２ＴＬ／（ＴＨ＋２ＴＭ）が１００％〜７０％の範囲内となるよう各屈折率膜のＱＷＯＴを決定する。
【００２６】
また、中屈折率膜の屈折率が前記高屈折率膜の屈折率と前記低屈折率膜の屈折率との中間値未満の場合、透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内となるよう各屈折率膜のＱＷＯＴを決定する。
【００２７】
なお、透過率が局所的に５％以上低下する箇所が存在しない、とは、４００〜７００ｎｍの波長範囲において、上記各屈折率膜のＱＷＯＴを増減させた際の透過率の変化量を規定するものである。具体的には、上記各屈折率膜のＱＷＯＴの調整により透過率が変動するため、その変動量が局所的に５％以上低下する箇所が存在しない範囲内における、上記ＱＷＯＴの比率を確認し、最大値及び最小値を設定するものである。
【００２８】
上記において、１００％の値を選ぶと、０°から入射角度を大きくして（傾けて）いった時、最も大きな角度までリップルが発生しない設計となる。７０％未満の値を選ぶと、０°から入射角度を大きくして（傾けて）いった時、１００％の値を選んだ場合よりも小さい角度でリップルが発生する。光学多層膜の透過帯（４００ｎｍ〜７００ｎｍ）における、０°〜４５°入射条件でのリップルの発生および製造上の余裕も考慮に入れ、１００％〜７０％の範囲となるよう各屈折率膜のＱＷＯＴを決定する。なお、上述した各屈折率膜のＱＷＯＴを決定するプロセスは、複数の膜構成の光学多層膜を実際に作製してもよいし、膜構造から光学多層膜の分光特性をシミュレーションできるソフトウエアを活用してもよい。
【００２９】
（ＳＷＰＦ部１２Ｃ）
ＳＷＰＦ部１２Ｃは、ＳＷＰＦ部１２Ｂと同じ構造を有するため重複する説明を省略する。
【００３０】
高屈折率膜Ｈとしては、波長５００ｎｍにおいて、屈折率が２．０以上となる材料からなるものであれば特に限定されない。このような高屈折率の材料としては、例えば、酸化チタン（ＴｉＯ２）、酸化ニオブ（Ｎｂ２Ｏ５）、またはこれらの複合酸化物からなるものが好適に挙げられる。また、屈折率が２．０以上であれば、添加物を含有していても構わない。なお、屈折率が高いほうが、斜入射時の波長シフト量抑制、阻止帯の拡張等に有利である。
【００３１】
中屈折率膜Ｍとしては、波長５００ｎｍにおいて、屈折率が１．６以上で前記高屈折率膜Ｈの屈折率未満である材料からなるものであれば特に限定されない。このような中屈折率の材料としては、例えば、酸化タンタル（Ｔａ２Ｏ５）、酸化アルミニウム（Ａｌ２Ｏ３）、酸化イットリウム（Ｙ２Ｏ３）、酸化ジルコニウム（ＺｒＯ２）と酸化アルミニウム（Ａｌ２Ｏ３）との混合物が好適に挙げられる。なお、上記材料は、添加物を含有していても構わない。
【００３２】
低屈折率膜Ｌとしては、波長５００ｎｍにおいて、低屈折率が１．６未満となる材料からなるものであれば特に限定されない。このような低屈折率の材料としては、例えば、酸化珪素（ＳｉＯ２）が好適に挙げられる。また、屈折率が１．６未満であれば、添加物を含有していても構わない。
【００３３】
各屈折率膜の組合せの好適な例として、以下が挙げられる。
組合せ１・・・高屈折率膜：酸化チタン（波長５００ｎｍにおける屈折率：２．４７）、中屈折率膜：酸化タンタル（波長５００ｎｍにおける屈折率：２．１９）、低屈折率膜：酸化珪素（波長５００ｎｍにおける屈折率：１．４８）
なお、この組合せにおける２ＴＬ／（ＴＨ＋２ＴＭ）は、０．８７０〜０．８４５が好ましい範囲である。
組合せ２・・・高屈折率膜：酸化チタン（波長５００ｎｍにおける屈折率：２．４７）、中屈折率膜：酸化アルミニウム（波長５００ｎｍにおける屈折率：１．６４）、低屈折率膜：酸化珪素（波長５００ｎｍにおける屈折率：１．４８）
なお、この組合せにおける（２ＴＬ＋２ＴＭ）／ＴＨは、１．２１５〜１．１８６が好ましい範囲である。
組合せ３・・・高屈折率膜：酸化ニオブ（波長５００ｎｍにおける屈折率：２．３８）、中屈折率膜：酸化アルミニウム（波長５００ｎｍにおける屈折率：１．６４）、低屈折率膜：酸化珪素（波長５００ｎｍにおける屈折率：１．４８）
なお、この組合せにおける（２ＴＬ＋２ＴＭ）／ＴＨは、１．２２９〜１．１８６が好ましい範囲である。
【００３４】
光学多層膜１２を構成する高屈折率膜Ｈ、中屈折率膜Ｍ、低屈折率膜Ｌは、スパッタリング法、真空蒸着法、イオンビーム法、イオンプレーティング法、ＣＶＤ法により形成することができるが、特に、スパッタリング法、真空蒸着法により形成することが好ましい。透過帯は、ＣＣＤ、ＣＭＯＳ等の固体撮像素子の受光に利用される波長帯域であり、その膜厚精度が重要となる。スパッタリング法、真空蒸着法は、薄膜を形成する際の膜厚制御に優れる。このため、光学多層膜１２を構成する高屈折率膜Ｈ、中屈折率膜Ｍ、低屈折率膜Ｌの膜厚の精度を高めることができ、その結果、リップルを抑制することができる。
【００３５】
なお、付着力強化層、最表面層（空気側）での帯電防止層など、光学多層膜１２を構成する以外の膜が、光学多層膜１２に含まれていてもよい。
【００３６】
（光学多層膜１２の分光特性）
次に、光学多層膜１２の分光特性について説明する。
光学多層膜１２は、０°入射条件において、４００〜７００ｎｍの波長範囲に平均透過率が８５％以上となる透過帯と、該透過帯の近赤外側に阻止帯を有する。阻止帯は、７５０〜１１００ｎｍの波長範囲において平均透過率が１０％以下の領域の幅が１００〜２８０ｎｍとなっている。
【００３７】
また、光学多層膜１２の透過帯の紫外側の半値波長と近赤外側の半値波長との差は２００ｎｍ以上となっている。さらに、０°入射条件と３０°入射条件とにおける光学多層膜１２の透過帯の半値波長の差は、紫外側で１０ｎｍ未満、近赤外側で２２ｎｍ未満となっている。
【００３８】
なお、光学多層膜１２は、０°入射条件での分光特性において、さらに以下の要件を満たすことが好ましい。具体的には、光学多層膜１２の透過帯の紫外側の半値波長と近赤外側の半値波長との差は３５０ｎｍ以下が好ましく、３００ｎｍ以下が更に好ましい。また、紫外側の半値波長は３９０〜４３０ｎｍの範囲にあることが好ましく、近赤外側の半値波長は６４０〜７２０ｎｍの範囲にあることが好ましい。さらに、紫外側の阻止帯の幅は３０ｎｍ以上、近赤外側の阻止帯の幅は２００ｎｍ以上であることが好ましい。
【００３９】
ここで、光学多層膜１２の透過帯の範囲（平均透過率を求めるための範囲）は、透過帯から紫外側の阻止帯に向かって透過率の低下が開始するときの波長（紫外側の基点）から、透過帯から近赤外側の阻止帯に向かって透過率の低下が開始するときの波長（近赤外側の基点）までとする。
【００４０】
また、光学多層膜１２の阻止帯の範囲（平均透過率や幅を求めるための範囲）は、光学多層膜１２の紫外側の阻止帯については、紫外側の阻止帯から透過帯に向かって透過率の上昇が開始するときの波長（透過帯側の基点）から、その紫外側に向かって透過率が最初に４０％に達するときの上昇が開始するときの波長（紫外側の基点）までとする。
【００４１】
さらに、光学多層膜１２の近赤外側の阻止帯については、近赤外側の阻止帯から透過帯に向かって透過率の上昇が開始するときの波長（透過帯側の基点）から、その近赤外側に向かって透過率が最初に４０％に達するときの上昇が開始するときの波長（近赤外側の基点）までとする。
【００４２】
（近赤外線カットフィルタ（ＩＲＣＦ）１０の分光特性）
ＩＲＣＦ１０は、０°〜４５°入射条件における分光特性において、透過帯（４００〜７００ｎｍの波長範囲内）の透過率が局所的に２０％以上低下する箇所がないことが好ましい。ＩＲＣＦ１０の分光特性は、主には光学多層膜１２の分光特性に依存するため、光学多層膜１２のみで上記特性を備えることが好ましいが、光学多層膜１２以外に反射防止膜等を透明基板の他方の面に設けることで上記特性を備えるようにしてもよい。ＩＲＣＦ１０は、０°〜４５°入射条件における分光特性において、透過帯（４００〜７００ｎｍの波長範囲内）の透過率が局所的に低下する量は、１５％以下がより好ましく、１２％以下がさらに好ましい。
なお、本発明において、透過率が局所的に低下する量は、リップルによる局所的な透過率損失量を意味する。具体的には、短波長から長波長側への透過率変動において、透過帯の平坦部もしくはそれに類する連続的な透過率変動部（例えば吸収ガラスなどでは透過帯はなだらかな山形状を描いている）から、リップルによって形成される極小値に向かう最初の変曲点の透過率を（Ａ）、リップルによる透過率の極小値を（Ｂ）、リップルの極小値から上記透過帯平坦部に透過率が上昇し、この上昇の終端であり、透過帯平坦部に戻った最初の変曲点の透過率を（Ｃ）とした時（Ａ）−（Ｂ）、（Ｃ）−（Ｂ）の絶対値のうち、大きいものをいう。
【００４３】
（その他の実施形態）
以上のように、本発明を上記具体例に基づいて詳細に説明したが、本発明は上記具体例に限定されるものではなく、本発明の範疇を逸脱しない限りにおいてあらゆる変形や変更が可能である。
【００４４】
例えば、光学多層膜は、２つの同一の膜構成によるＳＷＰＦを備えてもよいし、１つのＳＷＰＦおよび他の膜構成（上記繰り返し積層構造以外）によるＳＷＰＦにて構成されてもよい。具体的には、（ＬＭＨＭＬ）の繰り返し積層構造を備えるＳＷＰＦと（ＨＬ）の繰り返し積層構造を備えるＳＷＰＦとからなる光学多層膜であってもよい。また、（ＬＭＨＭＬ）の繰り返し数は、所望の分光特性に応じて任意に設定されるものである。また、（ＬＭＨＭＬ）の中屈折率膜を高屈折率膜と低屈折率膜とに振り分ける（等価膜構成）を用いて、実質的に同一の膜構成となるようにしてもよい。
【００４５】
（撮像装置１００）
図１〜図３を参照して説明したＩＲＣＦ１０は、例えば、デジタルスチルカメラ、デジタルビデオカメラ、監視カメラ、車載用カメラ、ウェブカメラ等の撮像装置や自動露出計等における視感度補正フィルタとして用いられる。デジタルスチルカメラ、デジタルビデオカメラ、監視カメラ、車載用カメラ、ウェブカメラ等の撮像装置においては、例えば、撮像レンズと固体撮像素子との間に配置される。自動露出計においては、例えば受光素子の前面に配置される。
【００４６】
撮像装置では、固体撮像素子の前面から離れた位置にＩＲＣＦ１０を配置してもよいし、固体撮像素子、または固体撮像素子のパッケージに直接貼着してもよいし、固体撮像素子を保護するカバーをＩＲＣＦ１０としてもよい。また、モアレや偽色を抑制するための水晶やニオブ酸リチウム等の結晶を使用したローパスフィルタに直接貼着してもよい。
【００４７】
次に、具体例を示す。図４は、撮像装置１００の一部構成図である。
撮像装置１００は、例えば、デジタルスチルカメラ、デジタルビデオカメラ、監視カメラ、車載用カメラ、ウェブカメラである。撮像装置１００は、固体撮像素子１１０、カバーガラス１２０、レンズ群１３０、絞り１４０、筐体１５０を備える。固体撮像素子１１０、カバーガラス１２０、レンズ群１３０及び絞り１４０は、光軸ｘに沿って配置されている。
【００４８】
固体撮像素子１１０は、例えば、Charge Coupled Device（ＣＣＤ）イメージセンサやComplementary Metal Oxide Semiconductor（ＣＭＯＳ）イメージセンサである。固体撮像素子１１０は、入力される光を電気信号に変換して、図示しない画像信号処理回路へ出力する。
【００４９】
カバーガラス１２０は、固体撮像素子１１０の撮像面側（レンズ群１３０側）に配置され、外部環境から固体撮像素子１１０を保護する。
【００５０】
レンズ群１３０は、固体撮像素子１１０の撮像面側に配置される。レンズ群１３０は、複数のレンズＬ１〜Ｌ４で構成され、入射する光を固体撮像素子１１０の撮像面へと導光する。
【００５１】
絞り１４０は、レンズ群１３０のレンズＬ３とレンズＬ４との間に配置される。絞り１４０は、通過する光の量を調整可能に構成されている。
【００５２】
筐体１５０は、固体撮像素子１１０、カバーガラス１２０、レンズ群１３０及び絞り１４０を収容する。
【００５３】
撮像装置１００では、被写体側より入射した光は、レンズＬ１、レンズＬ２、第３のレンズＬ３、絞り１４０、レンズＬ４、及びカバーガラス１２０を通って固体撮像素子１１０に入射する。この入射した光が固体撮像素子１１０にて電気信号に変換され、画像信号として出力される。
【００５４】
ＩＲＣＦ１０は、例えば、カバーガラス１２０、レンズ群１３０、すなわちレンズＬ１、レンズＬ２、レンズＬ３、もしくはレンズＬ４として用いられる。言い換えれば、ＩＲＣＦ１０の光学多層膜１２は、従来の撮像装置のカバーガラスやレンズ群を透明基板１１とし、この透明基板１１の表面に設けられる。また、透明基板１１の表面に光学多層膜１２を設けたＩＲＣＦ１０（図４には図示しない）を前述のカバーガラスやレンズ群とは別部材として設けてもよい。
【００５５】
撮像装置１００のカバーガラス１２０やレンズ群１３０にＩＲＣＦ１０を適用することで、入射角度依存性（リップルの発生）を抑制しつつ、可視域の透過帯ならびに紫外域および近赤外域の阻止帯を拡張でき、その特性を向上することができる。
【実施例】
【００５６】
次に実施例を参照して具体的に説明する。
実施例に係る近赤外線カットフィルタ（ＩＲＣＦ）は、透明基板（白板ガラス、Ｂ２７０、板厚０．３ｍｍ、ショット社製）と、透明基板の一方の面に設けられた光学多層膜とを備える。これらのＩＲＣＦについて、光学多層膜の０°入射条件での分光特性で４００〜７００ｎｍの波長範囲内に透過率が局所的に５％以上低下する箇所が存在しない条件を、光学薄膜シミュレーションソフト（ＴＦＣａｌｃ、Ｓｏｆｔｗａｒｅ  Ｓｐｅｃｔｒａ社製）を用いて検証した。また、本願では波長５００ｎｍにおける各膜の屈折率を代表値として使用しているが、シミュレーション上は屈折率の波長依存性を考慮してシミュレーションを行った。【００５７】
屈折率には、分散などと呼ばれる波長依存性がある。例えば、３００〜１３００ｎｍの波長範囲において、本出願が対象とする膜物質などでは、波長が短いほど屈折率が大きく、波長が長くなると屈折率は小さくなる傾向がある。これら波長−屈折率の関係は線形関係ではなく、一般的にはHartmann、Sellmeierなどの近似式を用いて表されることが多い。また、膜物質の屈折率（分散）は、各種成膜条件によって変わる。そのため、蒸着法、イオンアシスト蒸着法、スパッタ法などで実際に成膜を行い、得られた各膜の屈折率の分散データを以下のシミュレーションにて用いた。【００５８】
（実施例１）
光学多層膜は、酸化チタン（高屈折率膜）、酸化タンタル（中屈折率膜）、酸化珪素（低屈折率膜）からなる、（ＬＭＨＭＬ）の９層の繰り返し積層である。また、この光学多層膜は、４００〜７００ｎｍの波長範囲に平均透過率が８５％以上となる透過帯と、前記透過帯の近赤外側に、７８０〜１０００ｎｍの波長範囲において平均透過率が１０％以下の領域の阻止帯とを有する。この光学多層膜について、０°入射条件での分光特性で４００〜７００ｎｍの波長範囲内に透過率が局所的に５％以上低下する箇所が存在しない２ＴＬ／（ＴＨ＋２ＴＭ）の１００％（最大値）、０％（最小値）、７０％の膜構成をシミュレーションにより調べた。光学多層膜の透過率が局所的に５％以上低下する箇所が存在しない２ＴＬ／（ＴＨ＋２ＴＭ）の１００％（最大値）、０％（最小値）、７０％における膜構成を以下の表１に示す。２ＴＬ／（ＴＨ＋２ＴＭ）の１００％（最大値）は、０．８６７であり、０％（最小値）は０．８１６であり、７０％は０．８５２であった。【００５９】
【表１】
2013183557.tif 000003
【００６０】
図５は、表１に示す光学多層膜の０°入射条件における分光特性のシミュレーション結果を示す図である。また、図６は、表１に示す光学多層膜の４５°入射条件における分光特性のシミュレーション結果を示す図である。以上から、光学多層膜が、０°入射条件での分光特性で４００〜７００ｎｍの波長範囲内に透過率が局所的に５％以上低下する箇所が存在しない２ＴＬ／（ＴＨ＋２ＴＭ）の最大値を１００％、最小値を０％と設定した場合、２ＴＬ／（ＴＨ＋２ＴＭ）が１００％〜７０％の範囲内の場合、４５°入射条件であっても４００〜７００ｎｍの波長範囲における透過帯のリップルを抑制でき、透過率の局所的な低下も９．９％と低いことがわかる。また、２ＴＬ／（ＴＨ＋２ＴＭ）が０％の場合、４５°入射条件における分光特性では透過帯の局所的な低下が２２．２％となり、リップルを十分に抑制できないことがわかる。【００６１】
（実施例２）
光学多層膜は、実施例１と同様の繰り返し積層構造を備え、前記透過帯の近赤外側に、９２０〜１１７０ｎｍの波長範囲において平均透過率が１０％以下の領域の阻止帯とを有することのみ相違する。この光学多層膜について、０°入射条件での分光特性で４００〜７００ｎｍの波長範囲内に透過率が局所的に５％以上低下する箇所が存在しない２ＴＬ／（ＴＨ＋２ＴＭ）の１００％（最大値）、０％（最小値）、７０％の膜構成をシミュレーションにより調べた。光学多層膜の透過率が局所的に５％以上低下する箇所が存在しない２ＴＬ／（ＴＨ＋２ＴＭ）の１００％（最大値）、０％（最小値）、７０％における膜構成を以下の表２に示す。２ＴＬ／（ＴＨ＋２ＴＭ）の１００％（最大値）は、０．８６５あり、０％（最小値）は０．８０７であり、７０％は０．８４７であった。【００６２】
【表２】
2013183557.tif 000004
【００６３】
図７は、表２に示す光学多層膜の０°入射条件における分光特性のシミュレーション結果を示す図である。また、図７は、表２に示す光学多層膜の４５°入射条件における分光特性のシミュレーション結果を示す図である。以上から、光学多層膜が、０°入射条件での分光特性で４００〜７００ｎｍの波長範囲内に透過率が局所的に５％以上低下する箇所が存在しない２ＴＬ／（ＴＨ＋２ＴＭ）の最大値を１００％、最小値を０％と設定した場合、２ＴＬ／（ＴＨ＋２ＴＭ）が１００％〜７０％の範囲内の場合、４５°入射条件であっても４００〜７００ｎｍの波長範囲における透過帯のリップルを抑制でき、透過率の局所的な低下も１２．４％と低いことがわかる。また、２ＴＬ／（ＴＨ＋２ＴＭ）が０％の場合、４５°入射条件における分光特性では透過帯の局所的な低下が２４．６％となり、リップルを十分に抑制できないことがわかる。【００６４】
（実施例３）
光学多層膜は、酸化チタン（高屈折率膜）、酸化アルミニウム（中屈折率膜）、酸化珪素（低屈折率膜）からなる、（ＬＭＨＭＬ）の９層の繰り返し積層である。また、この光学多層膜は、４００〜７００ｎｍの波長範囲に平均透過率が８５％以上となる透過帯と、前記透過帯の近赤外側に、７７０〜１０２０ｎｍの波長範囲において平均透過率が１０％以下の領域の阻止帯とを有する。この光学多層膜について、０°入射条件での分光特性で４００〜７００ｎｍの波長範囲内に透過率が局所的に５％以上低下する箇所が存在しない（２ＴＬ＋２ＴＭ）／ＴＨの１００％（最大値）、０％（最小値）、７０％の膜構成をシミュレーションにより調べた。光学多層膜の透過率が局所的に５％以上低下する箇所が存在しない（２ＴＬ＋２ＴＭ）／ＴＨの１００％（最大値）、０％（最小値）、７０％における膜構成を以下の表３に示す。（２ＴＬ＋２ＴＭ）／ＴＨの１００％（最大値）は、１．２１８であり、０％（最小値）は１．１５３であり、７０％は１．１９７であった。【００６５】
【表３】
2013183557.tif 000005
【００６６】
図９は、表３に示す光学多層膜の０°入射条件における分光特性のシミュレーション結果を示す図である。また、図１０は、表３に示す光学多層膜の４５°入射条件における分光特性のシミュレーション結果を示す図である。以上から、光学多層膜が、０°入射条件での分光特性で４００〜７００ｎｍの波長範囲内に透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内の場合、４５°入射条件であっても４００〜７００ｎｍの波長範囲における透過帯のリップルを抑制でき、透過率の局所的な低下も１８．８％と低いことがわかる。また、（２ＴＬ＋２ＴＭ）／ＴＨが０％の場合、４５°入射条件における分光特性では透過帯の局所的な低下が３８．４％となり、リップルを十分に抑制できないことがわかる。【００６７】
（実施例４）
光学多層膜は、実施例１と同様の繰り返し積層構造を備え、前記透過帯の近赤外側に、９６０〜１２６０ｎｍの波長範囲において平均透過率が１０％以下の領域の阻止帯とを有することのみ相違する。この光学多層膜について、０°入射条件での分光特性で４００〜７００ｎｍの波長範囲内に透過率が局所的に５％以上低下する箇所が存在しない（２ＴＬ＋２ＴＭ）／ＴＨの１００％（最大値）、０％（最小値）、７０％の膜構成をシミュレーションにより調べた。光学多層膜の透過率が局所的に５％以上低下する箇所が存在しない（２ＴＬ＋２ＴＭ）／ＴＨの１００％（最大値）、０％（最小値）、７０％における膜構成を以下の表４に示す。（２ＴＬ＋２ＴＭ）／ＴＨの１００％（最大値）は、で１．１８７あり、０％（最小値）は１．１２０であり、７０％は１．１６７であった。【００６８】
【表４】
2013183557.tif 000006
【００６９】
図１１は、表４に示す光学多層膜の０°入射条件における分光特性のシミュレーション結果を示す図である。また、図１２は、表４に示す光学多層膜の４５°入射条件における分光特性のシミュレーション結果を示す図である。以上から、光学多層膜が、０°入射条件での分光特性で４００〜７００ｎｍの波長範囲内に透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内の場合、４５°入射条件であっても４００〜７００ｎｍの波長範囲における透過帯のリップルを抑制でき、透過率の局所的な低下も１３．５％と低いことがわかる。また、（２ＴＬ＋２ＴＭ）／ＴＨが０％の場合、４５°入射条件における分光特性では透過帯の局所的な低下が２９．７％となり、リップルを十分に抑制できないことがわかる。【００７０】
（実施例５）
光学多層膜は、酸化ニオブ（高屈折率膜）、酸化アルミニウム（中屈折率膜）、酸化珪素（低屈折率膜）からなる、（ＬＭＨＭＬ）の９層の繰り返し積層である。また、この光学多層膜は、４００〜７００ｎｍの波長範囲に平均透過率が８５％以上となる透過帯と、前記透過帯の近赤外側に、７７４〜１０１０ｎｍの波長範囲において平均透過率が１０％以下の領域の阻止帯とを有する。この光学多層膜について、０°入射条件での分光特性で４００〜７００ｎｍの波長範囲内に透過率が局所的に５％以上低下する箇所が存在しない（２ＴＬ＋２ＴＭ）／ＴＨを１００％（最大値）、０％（最小値）、７０％の膜構成をシミュレーションにより調べた。光学多層膜の透過率が局所的に５％以上低下する箇所が存在しない（２ＴＬ＋２ＴＭ）／ＴＨの１００％（最大値）、０％（最小値）、７０％における膜構成を以下の表５に示す。（２ＴＬ＋２ＴＭ）／ＴＨの１００％（最大値）は、１．２３４であり、０％（最小値）は１．１６５であり、７０％は１．２１２であった。【００７１】
【表５】
2013183557.tif 000007
【００７２】
図１３は、表５に示す光学多層膜の０°入射条件における分光特性のシミュレーション結果を示す図である。また、図１４は、表５に示す光学多層膜の４５°入射条件における分光特性のシミュレーション結果を示す図である。以上から、光学多層膜が、０°入射条件での分光特性で４００〜７００ｎｍの波長範囲内に透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内の場合、４５°入射条件であっても４００〜７００ｎｍの波長範囲における透過帯のリップルを抑制でき、透過率の局所的な低下も１４．９％と低いことがわかる。また、（２ＴＬ＋２ＴＭ）／ＴＨが０％の場合、４５°入射条件における分光特性では透過帯の局所的な低下が３１．４％となり、リップルを十分に抑制できないことがわかる。【００７３】
（実施例６）
光学多層膜は、実施例１と同様の繰り返し積層構造を備え、前記透過帯の近赤外側に、９８３〜１２８４ｎｍの波長範囲において平均透過率が１０％以下の領域の阻止帯とを有することのみ相違する。この光学多層膜について、０°入射条件での分光特性で４００〜７００ｎｍの波長範囲内に透過率が局所的に５％以上低下する箇所が存在しない（２ＴＬ＋２ＴＭ）／ＴＨの１００％（最大値）、０％（最小値）、７０％の膜構成をシミュレーションにより調べた。光学多層膜の透過率が局所的に５％以上低下する箇所が存在しない（２ＴＬ＋２ＴＭ）／ＴＨの１００％（最大値）、０％（最小値）、７０％における膜構成を以下の表６に示す。前記（２ＴＬ＋２ＴＭ）／ＴＨの１００％（最大値）は、１．２１６であり、０％（最小値）は１．１３２であり、７０％は１．１９１であった。【００７４】
【表６】
2013183557.tif 000008
【００７５】
図１５は、表６に示す光学多層膜の０°入射条件における分光特性のシミュレーション結果を示す図である。また、図１６は、表６に示す光学多層膜の４５°入射条件における分光特性のシミュレーション結果を示す図である。以上から、光学多層膜が、０°入射条件での分光特性で４００〜７００ｎｍの波長範囲内に透過率が局所的に５％以上低下する箇所が存在しない（２ＴＬ＋２ＴＭ）／ＴＨの最大値を１００％、最小値を０％と設定した場合、（２ＴＬ＋２ＴＭ）／ＴＨが１００％〜７０％の範囲内の場合、４５°入射条件であっても４００〜７００ｎｍの波長範囲における透過帯のリップルを抑制でき、透過率の局所的な低下も１０．７％と低いことがわかる。また、（２ＴＬ＋２ＴＭ）／ＴＨが０％の場合、４５°入射条件における分光特性では透過帯の局所的な低下が２６．２％となり、リップルを十分に抑制できないことがわかる。【００７６】
（比較例）
次いで、比較例として次に述べる光学多層膜について検証した。光学多層膜は、酸化チタン（高屈折率膜）、酸化珪素（低屈折率膜）からなる、（ＨＬ）の１０層の繰り返し積層である。また、この光学多層膜は、４００〜７００ｎｍの波長範囲に平均透過率が８５％以上となる透過帯と、９００〜１２００ｎｍの波長範囲において平均透過率が１０％以下の領域の阻止帯とを有する。この光学多層膜について、０°入射条件での分光特性で４００〜７００ｎｍの波長範囲内に透過率が局所的に５％以上低下する箇所が存在しないＴＬ／ＴＨの１００％（最大値）、０％（最小値）、７０％の膜構成をシミュレーションにより調べた。光学多層膜の透過率が局所的に５％以上低下する箇所が存在しないＴＬＴＨの１００％（最大値）、０％（最小値）、７０％における膜構成を以下の表６に示す。ＴＬ／ＴＨの１００％（最大値）は、０．９９７であり、０％（最小値）は０．９６０であり、７０％は０．９８６であった。この光学多層膜の膜構成を以下の表７に示す。【００７７】
【表７】
2013183557.tif 000009
【００７８】
図１７は、表７に示す光学多層膜の０°入射条件における分光特性のシミュレーション結果を示す図である。また、図１８は、表７に示す光学多層膜の４５°入射条件における分光特性のシミュレーション結果を示す図である。以上から、光学多層膜が、０°入射条件での分光特性で４００〜７００ｎｍの波長範囲内に透過率が局所的に５％以上低下する箇所が存在しないＴＬ／ＴＨの最大値を１００％、最小値を０％と設定した場合、ＴＬ／ＴＨが１００％であったとしても４５°入射条件では透過帯の透過率の局所的な低下量が３１．２％となり、リップルを十分に抑制することができない。また、ＴＬ／ＴＨが１００％未満の場合は、ＴＬ／ＴＨが１００％の場合と比較して４５°入射条件では透過帯の透過率の局所的な低下量が大きくなる傾向があるため、当然これら範囲においてもリップルを十分に抑制することができない。
よって、表７に示す光学多層膜の膜構成では、光の入射角度が４５°となった際の透過帯のリップルの抑制は困難であることがわかる。【００７９】
（実施例７）
次に、本発明の光学多層膜をガラス基板上に形成し、分光特性をシミュレーションした。なお、ガラス基板には、近赤外線カットガラス（ＮＦ５０Ｔ、旭硝子社製：厚み０．３ｍｍ）を使用した。【００８０】
初めに、ガラス基板上に形成した光学多層膜の膜構成について説明する。この実施例７では、ガラス基板の両面（フロント側及びリア側）に光学多層膜を形成している。【００８１】
フロント側に形成した光学多層膜の膜構成を以下の表８に示す。フロント側に形成した光学多層膜は、本発明のＩＲＣＦとは異なる、本出願人が出願した国際出願（ＰＣＴ／ＪＰ２０１２／０７４０８７）に記載の発明に包含されるＩＲＣＦを用いた。なお、各層の膜厚は、物理膜厚（ｎｍ）である。【００８２】
【表８】
2013183557.tif 000010
【００８３】
次に、リア側に形成した光学多層膜の膜構成を以下の表９に示す。各層の膜厚は、物理膜厚（ｎｍ）である。なお、リア側に形成した光学多層膜のうち第１層から第１８層は、ＵＶカットフィルタ（ＵＶカット部１２Ａに相当）であり、第１８層から第８６層までは、本発明の光学多層膜（第１，第２のＳＷＰＦ部１２Ｂ，１２Ｃに相当）になる。以下、それぞれの光学多層膜を、ＵＶカット（ＵＶカット部１２Ａに相当）、ＳＷＰＦ１（第１のＳＷＰＦ部１２Ｂに相当）、ＳＷＰＦ２（第２のＳＷＰＦ部１２Ｃに相当）と称する。【００８４】
なお、第１８層の物理膜厚１４０．２３ｎｍのうち、９０ｎｍがＵＶカット用の膜であり、残りの５０．２３ｎｍがＳＷＰＦ１用の膜である。また、第５４層の物理膜厚１５９．６４ｎｍのうち、７５ｎｍがＳＷＰＦ１用の膜であり、残りの８４．６４ｎｍがＳＷＰＦ２用の膜である。【００８５】
【表９】
2013183557.tif 000011
【００８６】
図１９は、表８、表９に示す光学多層膜を備えたガラス基板（ＮＦ５０Ｔ）の０°（実線）及び４５°（鎖線）入射条件における分光特性のシミュレーション結果を示す図である。【００８７】
図１９に示すように、本発明の光学多層膜を実際の製品に適用した場合でも、４００〜７００ｎｍの波長範囲に平均透過率が８５％以上となる透過帯と、前記透過帯の近赤外側に、７８０〜１０００ｎｍの波長範囲において平均透過率が１０％以下の領域の阻止帯とを有することがわかった。また、０°及び４５°入射条件における分光特性において、透過帯（４００〜７００ｎｍの波長範囲内）の透過率が局所的に低下する量が、１２％以下であることがわかった。【００８８】
次に、表８に示すＩＲＣＦのみを備えた白板ガラス基板（Ｂ２７０、板厚０．３ｍｍ、ショット社製、以下同様）の０°（実線）及び４５°（鎖線）入射条件における分光特性のシミュレーション結果を図２０に示す。このフロント側のＩＲＣＦは、図２０からもわかるように、入射角度依存性が抑制されており、可視域の光の斜入射時のリップルが非常に小さい。しかしながら、近赤外領域をカットする阻止帯の幅が狭い。【００８９】
次に、リア側に形成したＵＶカットのみを備えた白板ガラス基板の分光特性のシミュレーション結果を図２１に示す。図２１に示すように、ＵＶカットだけの光学特性をシミュレーションしたが、０°（実線）及び４５°（破線）入射条件における分光特性において、透過帯（４００〜７００ｎｍの波長範囲内）の透過率が局所的に低下する量が、１２％以下であることがわかった。【００９０】
次に、ＳＷＰＦ１について、０°入射条件での分光特性で４００〜７００ｎｍの波長範囲内に透過率が局所的に５％以上低下する箇所が存在しない２ＴＬ／（ＴＨ＋２ＴＭ）の１００％（最大値）、０％（最小値）の膜構成をシミュレーションにより調べた。ＳＷＰＦ１の膜構成及びシミュレーションで算出した１００％、０％における膜構成を以下の表１０に示す。【００９１】
ここで、２ＴＬ／（ＴＨ＋２ＴＭ）の１００％（最大値）は、０．７６１であり、０％（最小値）は０．７０２であった。また、ＳＷＰＦ１の２ＴＬ／（ＴＨ＋２ＴＭ）の値は、０．７５３であった。よって、ＳＷＰＦ１の２ＴＬ／（ＴＨ＋２ＴＭ）の値は、８７．１％であり。１００％〜７０％の範囲内となっている。【００９２】
【表１０】
2013183557.tif 000012
【００９３】
図２２は、ＳＷＰＦ１のみを備えた白板ガラス基板の０°（実線）及び４５°（破線）入射条件における分光特性のシミュレーション結果を示す図である。図２２からは、４５°入射条件であっても４００〜７００ｎｍの波長範囲における透過帯のリップルを抑制でき、透過率の局所的な低下も低いことがわかる。【００９４】
なお、参考のため、１００％及び０％における膜構成を備えた白板ガラス基板のシミュレーション結果を、それぞれ図２３（１００％）及び図２４（０％）に示す。図２３（１００％）では、４５°入射条件であっても４００〜７００ｎｍの波長範囲における透過帯のリップルを抑制できているが、図２４（０％）では、４５°入射条件において、４００ｎｍ近辺にリップルが発生しているのがわかる。【００９５】
次に、ＳＷＰＦ２について、０°入射条件での分光特性で４００〜７００ｎｍの波長範囲内に透過率が局所的に５％以上低下する箇所が存在しない２ＴＬ／（ＴＨ＋２ＴＭ）の１００％（最大値）、０％（最小値）の膜構成をシミュレーションにより調べた。ＳＷＰＦ２の膜構成及びシミュレーションで算出した１００％、０％における膜構成を以下の表１１に示す。【００９６】
ここで、２ＴＬ／（ＴＨ＋２ＴＭ）の１００％（最大値）は、０．７８４であり、０％（最小値）は０．７３２であった。また、ＳＷＰＦ２の２ＴＬ／（ＴＨ＋２ＴＭ）の値は、０．７７８であった。よって、ＳＷＰＦ２の２ＴＬ／（ＴＨ＋２ＴＭ）の値は、８７．９％であり。１００％〜７０％の範囲内となっている。【００９７】
【表１１】
2013183557.tif 000013
【００９８】
図２５は、ＳＷＰＦ２のみを備えた白板ガラス基板の０°（実線）及び４５°（破線）入射条件における分光特性のシミュレーション結果を示す図である。図２５からは、４５°入射条件であっても４００〜７００ｎｍの波長範囲における透過帯のリップルを抑制でき、透過率の局所的な低下も低いことがわかる。【００９９】
なお、参考のため、１００％及び０％における光学多層膜を備えた白板ガラス基板のシミュレーション結果を、それぞれ図２６（１００％）及び図２７（０％）に示す。図２６（１００％）では、４５°入射条件であっても４００〜７００ｎｍの波長範囲における透過帯のリップルを抑制できているが、図２７（０％）では、４５°入射条件において、５００ｎｍ近辺にリップルが発生しているのがわかる。【０１００】
図２８は、リア側に形成した全ての光学多層膜（ＵＶカット、ＳＷＰＦ１、ＳＷＰＦ２）を備えた白板ガラス基板の０°（実線）及び４５°（破線）入射条件における分光特性のシミュレーション結果を示す図である。図２８からは、４５°入射条件であっても４００〜７００ｎｍの波長範囲における透過帯のリップルを抑制でき、透過率の局所的な低下も低いことがわかる。また、近赤外域の波長範囲において、確実に光をカットできることがわかる。【０１０１】
以上のことから、本発明の近赤外線カットフィルタは、リップルを非常に効率よく抑制できることがわかる。
【産業上の利用可能性】
【０１０２】
本発明の近赤外線カットフィルタは、光の入射角度に依存する透過帯のリップルを抑制することができる。このため、デジタルカメラやデジタルビデオ等の固体撮像素子（例えば、ＣＣＤイメージセンサやＣＭＯＳイメージセンサ等）の分光補正に好適に使用できる。
【符号の説明】
【０１０３】
１０：近赤外線カットフィルタ、１１：透明基板、１２：光学多層膜、１００：撮像装置、１１０：固体撮像素子、１２０：カバーガラス、１３０：レンズ群、１５０：筐体、Ｌ１〜Ｌ４：レンズ。
【図１】
2013183557.tif 000014
【図２】
2013183557.tif 000015
【図３】
2013183557.tif 000016
【図４】
2013183557.tif 000017
【図５】
2013183557.tif 000018
【図６】
2013183557.tif 000019
【図７】
2013183557.tif 000020
【図８】
2013183557.tif 000021
【図９】
2013183557.tif 000022
【図１０】
2013183557.tif 000023
【図１１】
2013183557.tif 000024
【図１２】
2013183557.tif 000025
【図１３】
2013183557.tif 000026
【図１４】
2013183557.tif 000027
【図１５】
2013183557.tif 000028
【図１６】
2013183557.tif 000029
【図１７】
2013183557.tif 000030
【図１８】
2013183557.tif 000031
【図１９】
2013183557.tif 000032
【図２０】
2013183557.tif 000033
【図２１】
2013183557.tif 000034
【図２２】
2013183557.tif 000035
【図２３】
2013183557.tif 000036
【図２４】
2013183557.tif 000037
【図２５】
2013183557.tif 000038
【図２６】
2013183557.tif 000039
【図２７】
2013183557.tif 000040
【図２８】
2013183557.tif 000041
【国際調査報告】
2013183557.tif 000042
2013183557.tif 000043
2013183557.tif 000044
2013183557.tif 000045